(57)【要約】複数のガラス繊維製ディスクと複数のリアクティブプレートを含む外側マフラアセンブリと、複数のガラス繊維製ディスクと複数のリアクティブプレートを含む内側マフラアセンブリと、を有するマフラアセンブリであって、内側マフラアセンブリは、外側マフラアセンブリによって実質的に囲まれており、これらの間にガスフロー間隙が画成されている。
2007500838.tif 000002
【特許請求の範囲】
【請求項１】
複数のガラス繊維製ディスクと複数のリアクティブプレートとを含む外側マフラアセンブリと、
複数のガラス繊維製ディスクと複数のリアクティブプレートを含む内側マフラアセンブリと、を有し、前記内側マフラアセンブリは、前記外側マフラアセンブリによって実質的に囲まれており、これらのマフラアセンブリの間にガスフロー間隙が画成されていることを特徴とするマフラアセンブリ。
【請求項２】
前記外側マフラアセンブリは、
前記複数のガラス繊維製ディスクおよび前記複数のリアクティブプレートの一部が周囲に配置された内側カンと、
前記複数のガラス繊維製ディスクおよび前記複数のリアクティブプレートの前記部分を囲む外側カンと、を有することを特徴とする請求項１記載のマフラアセンブリ。
【請求項３】
前記複数のガラス繊維製ディスクおよび前記複数のリアクティブプレートの少なくとも一部が、２枚のガラス繊維製ディスクと１枚のリアクティブプレートを順に含む列として配列されていることを特徴とする請求項１記載のマフラアセンブリ。
【請求項４】
前記内側マフラが、前記複数のガラス繊維製ディスクと前記複数のリアクティブプレートの一部を囲むカンを含むことを特徴とする請求項１記載のマフラアセンブリ。
【請求項５】
前記複数のガラス繊維製ディスクおよび前記複数のリアクティブプレートの少なくとも一部が、２枚のガラス繊維製ディスクと１枚のリアクティブプレートを順に含む列として配列されていることを特徴とする請求項２記載のマフラアセンブリ。
【請求項６】
前記内側マフラアセンブリを前記外側マフラアセンブリから分離している前記ガスフロー間隙は、減衰される周波数の波長の約１／４に等しい距離で設けられていることを特徴とする請求項１記載のマフラアセンブリ。
【請求項７】
前記マフラアセンブリは、管に取り付けられていることを特徴とする請求項１記載のマフラアセンブリ。
【請求項８】
前記マフラアセンブリは、前記管に溶接されていることを特徴とする請求項１記載のマフラアセンブリ。
【発明の詳細な説明】
【技術分野】
【０００１】
本発明は、音響伝播を減衰するマフラアセンブリに関し、特に、冷凍装置における音の伝播を減少させるマフラアセンブリに関する。
【背景技術】
【０００２】
冷凍機アセンブリで使用される水冷式冷凍機は、米労働安全衛生局（ＯＳＨＡ）などで規定された厳しい騒音排出レベルの基準を満たさなければならない。特に、油の流れが少ないスクリュー式冷凍機は、騒音排出レベルが高い傾向がある。このような装置における騒音の主な原因は、スクリュー圧縮機である。
【０００３】
圧縮機によって生じる騒音は、ガスまたは構造体のいずれかによって伝搬される。ガスにより伝搬される音の強さを減衰するために、マフラを使用することができる。従って、当該技術では、吐出管の中心に設けられた単一のマフラを使用して騒音排出レベルを減少させることが一般的である。しかし、このような単一のマフラを使用した場合でも、依然として騒音排出レベルが許容値を超えている場合が多い。
【０００４】
よって、従来に比べて騒音レベルをさらに減少させることができる、冷凍装置で使用可能なマフラ装置が求められている。
【発明の開示】
【発明が解決しようとする課題】
【０００５】
従って、本発明の目的は、音響伝播を減衰するためのマフラアセンブリを提供することである。より詳細には、本発明は、冷凍装置における音の伝播を減少させるマフラアセンブリを提供する。
【０００６】
本発明の目的は、さらに、複数のガラス繊維製ディスクと複数のリアクティブプレートを含む外側マフラアセンブリと、複数のガラス繊維製ディスクと複数のリアクティブプレートを含む内側マフラアセンブリと、を有し、内側マフラアセンブリが外側マフラアセンブリによって実質的に囲まれており、これらの間にガスフロー間隙が画成されているマフラアセンブリを提供することである。
【課題を解決するための手段】
【０００７】
本発明の主要目的は、音響伝播を減衰するマフラアセンブリを教示することである。本発明は、特に、冷凍機構成要素における音の伝播を減少させることを目的としている。以下でさらに詳細に説明するように、本発明は、内側マフラアセンブリが内部に取り付けられた外側マフラアセンブリの使用によってこの目的を達成し、これらの２つのアセンブリはガスフロー間隙によって離間されている。最も重要なのは、ガスフロー間隙が消散すべき音の波長の約１／４に等しい距離で設けられているということである。
【発明を実施するための最良の形態】
【０００８】
図１を参照すると、本発明の外側マフラアセンブリ１１と内側マフラアセンブリ１３とが示されている。図示のように、外側マフラアセンブリ１１と内側マフラアセンブリ１３とは、共に実質的に円筒形で中心線１４を中心に配置されている。円筒形のものを図示しているが、外側マフラアセンブリ１１と内側マフラアセンブリとは、内側マフラアセンブリ１３の大部分が外側マフラアセンブリ１１に囲まれ、かつ外側マフラアセンブリに挿入可能となっていればどのような形状でもよい。
【０００９】
図２を参照すると、管２１に連結された本発明のマフラアセンブリの断面が示されている。明かなように、内側マフラアセンブリ１３は、外側マフラアセンブリの内部に嵌るように中心線１４に沿って挿入される。この構造により、内側マフラアセンブリ１３の外面と外側マフラアセンブリ１１の内部との間にガスフロー間隙１７が形成される。上述のように、中心線に対して直角に中心線から離れる方向で測定されるとともに、内側マフラアセンブリ１３と外側マフラアセンブリ１１との間に延びるガスフロー間隙１７の距離は、減衰される周波数の波長の１／４に等しいことが好ましい。好適実施例では、外側マフラアセンブリ１１は、ボルトまたはねじを使用して内側マフラアセンブリ１３に固定される。互いに固定された後で、外側マフラアセンブリ１１および内側マフラアセンブリ１３は、複数の接触点で管２１にスポット溶接される。
【００１０】
図３を参照すると、外側マフラアセンブリ１１の構造が詳細に示されている。外側マフラアセンブリ１１は、ガラス繊維とリアクティブライナのアセンブリ３５から構成されている。以下でより詳細に説明するように、ガラス繊維とリアクティブライナのアセンブリ３５は、複数のガラス繊維製ディスクとリアクティブプレートを含む。好適実施例では、ガラス繊維とリアクティブライナのアセンブリ３５は、内側カン３１と外側カン３３との間に設けられている。内側カン３１と外側カン３３とは、最小開口率が５０％のステンレス鋼多孔プレートである。内側カン３１の直径は、ガラス繊維製ディスクとリアクティブプレートの内径にほぼ等しい。同様に、外側カン３３の内径は、ガラス繊維製ディスクとリアクティブプレートの外径にほぼ等しい。これにより、ガラス繊維とリアクティブライナのアセンブリ３５は、内側カン３１と外側カン３３の間にぴったりと嵌る。内側カン３１が、ガラス繊維とリアクティブライナのアセンブリ３５に挿入された後、外側カン３３が、このアセンブリに被せられるとともに好ましくは内側カン３１に溶接される。
【００１１】
図４を参照すると、ガラス繊維とリアクティブライナのアセンブリ３５が詳細に示されている。ガラス繊維とリアクティブライナのアセンブリ３５は、大部分が吸音性のガラス繊維製ディスク４１とリアクティブプレート４３によって構成されている。好適実施例では、２枚組のリアクティブプレート４３のそれぞれの間に２枚のガラス繊維製ディスク４１が配置されている。リアクティブプレート４３の目的は、軸方向で中心線１４の方向に対して前後に移動する音を反射させるリアクティブ要素として機能することでる。反射した音は、ガラス繊維製ディスク４１内で熱として消散される。好適実施例では、複数の穴、好ましくは３つの穴が同じ位置で各々のガラス繊維製ディスク４１およびリアクティブプレート４３にあけられる。続いて、対応する数のロッド４５が、組み合わされたガラス繊維製ディスク４１とリアクティブプレート４３の長さに沿って上記の複数の穴を通して押し込まれる。全てのガラス繊維製ディスク４１およびリアクティブプレート４３がこのように連結された後に、端部プレート５１がアセンブリの両側に取り付けられ、ガラス繊維製ディスク４１とリアクティブプレート４３は互いにぴったりと接触するように圧縮される。この圧縮は、音の減衰のための適切な密度を提供するので重要である。
【００１２】
さらに、図６に示すように、メタルスクリーン６３にポリエステル製クロス６１を取り付けて内側カン３１の外径に組み付けることもできる。クロス６１とスクリーン６３は、ディスク４１からガラス繊維が剥がれないように、端部プレート５１上に折り曲げられる。
【００１３】
図５を参照すると、本発明の内側マフラアセンブリが示されている。内側マフラアセンブリ１３の構造は、外側マフラアセンブリ１１の構造と実質的に類似している。図７を参照すると、内側マフラアセンブリ１３の構造が詳細に示されている。繊維ガラス／クロス／スクリーンアセンブリ７１が中央管７３に被せられる。続いて、端部プレート５１が反対側に被せられて中心に溶接される。多孔カバー７５がアセンブリ７１の上に配置され、両方の端部プレート５１に溶接される。
【００１４】
本発明により、音響伝搬を減衰するマフラアセンブリが提供されたことは明らかである。本発明は、特に、冷凍装置における音の伝播を減少させるマフラアセンブリであって、上述した目的、手段、および利点を完全に満たすマフラアセンブリを提供する。本発明は、特定の実施例に関して説明したが、当業者には上述の説明から他の代替物、改良、および変更が明らかになる。よって、本発明は、請求項に記載の範囲に含まれる代替物、改良、および変更を含むものである。
【図面の簡単な説明】
【００１５】
【図１】本発明に係る外側マフラアセンブリと内側マフラアセンブリの分解説明図である。
【図２】本発明に係るパイプに連結された外側マフラアセンブリと内側マフラアセンブリの断面図である。
【図３】本発明に係る外側マフラアセンブリの分解説明図である。
【図４】ガラス繊維製ディスクとリアクティブプレートの配置を示す、本発明に係る外側マフラアセンブリの分解説明図である。
【図５】本発明に係る内側マフラアセンブリの分解説明図である。
【図６】本発明に係るクロスおよびメタルスクリーン構造の説明図である。
【図７】本発明に係る内側マフラアセンブリの構造の詳細を示す説明図である。
【図１】
2007500838.tif 000003
【図２】
2007500838.tif 000004
【図３】
2007500838.tif 000005
【図４】
2007500838.tif 000006
【図５】
2007500838.tif 000007
【図６】
2007500838.tif 000008
【図７】
2007500838.tif 000009
【国際調査報告】
2007500838.tif 000010
2007500838.tif 000011
2007500838.tif 000012